(57)【要約】【課題】ユーザに対してより付加価値の高い態様でコンテンツを提供することの可能な技術を提供する。【解決手段】ネットワークを介して情報提供装置からコンテンツが配信される情報処理装置であって、情報処理装置における現在の位置情報を所定のタイミングで取得する位置情報取得部と、取得した位置情報を情報処理装置の移動履歴情報として記憶する移動履歴記憶部と、を備える。少なくとも移動履歴記憶部に記憶されている移動履歴情報に応じて情報提供装置にコンテンツを配信させる配信頻度を制御する。【選択図】図３
2012123490.tif 000002
【特許請求の範囲】
【請求項１】
ネットワークを介して情報提供装置からコンテンツが配信される情報処理装置であって、
前記情報処理装置における現在の位置情報を所定のタイミングで取得する位置情報取得部と、
前記位置情報取得部が取得した前記位置情報を前記情報処理装置の移動履歴情報として記憶する移動履歴記憶部と、
を備え、
少なくとも前記移動履歴記憶部に記憶されている前記移動履歴情報に応じて、前記情報提供装置に前記コンテンツを配信させる配信頻度を制御することを特徴とする情報処理装置。
【請求項２】
前記情報処理装置における現在の位置情報と、前記移動履歴記憶部に記憶されている前記移動履歴情報とに基づいて、前記情報処理装置の現在位置に関連付けられて定められる第１領域を該情報処理装置が過去に訪れた回数を取得する訪問回数取得部と、
前記訪問回数取得部が取得した前記第１領域への訪問回数に基づいて、前記配信頻度を設定する配信頻度設定部と、
前記配信頻度設定部が設定した前記コンテンツの配信頻度に関する指令を前記情報提供装置に送信する配信頻度指令部と、
を備えることを特徴とする請求項１に記載の情報処理装置。
【請求項３】
前記配信頻度設定部は、前記第１領域への訪問回数に応じてコンテンツの配信頻度を増減させる際、前記情報提供装置から配信されるコンテンツが使用者への嗜好情報コンテンツと該使用者への環境情報コンテンツの何れであるかの違いに基づき、コンテンツの配信頻度を増やすか又は減らすかを決定する、請求項２に記載の情報処理装置。
【請求項４】
前記情報処理装置が再生したコンテンツの再生履歴情報を記憶する再生履歴記憶部と、
前記情報処理装置における現在の位置情報、前記移動履歴記憶部に記憶されている前記移動履歴情報、及び前記再生履歴記憶部に記憶されている前記再生履歴情報に基づいて、前記情報処理装置の現在位置の周囲に存在する第２領域において該情報処理装置が過去に再生したコンテンツを検索する検索部と、
前記検索部が検索した前記コンテンツの配信要求指令を前記情報提供装置に送信する配信要求指令部と、
前記情報提供装置から前記配信要求指令に対応する前記コンテンツを受信するコンテンツ受信部と、
前記コンテンツ受信部が受信した前記コンテンツの再生時に、使用者からの該コンテンツの再生中止指示を受け付ける指示受付部と、
前記指示受付部による使用者からの前記再生中止指示の受付結果に基づき前記第２領域の大きさを調節する領域調節部と、
を備えることを特徴とする請求項１に記載の情報処理装置。
【請求項５】
ネットワークを介して情報処理装置にコンテンツを配信する情報提供装置であって、
前記情報処理装置における位置情報を所定のタイミングで該情報処理装置から受信する位置情報受信部と、
前記位置情報受信部が受信した前記位置情報を前記情報処理装置の移動履歴情報として記憶する移動履歴記憶部と、
を備え、
少なくとも前記移動履歴記憶部に記憶されている前記移動履歴情報に応じて、前記情報処理装置に前記コンテンツを配信する配信頻度を制御することを特徴とする情報提供装置
。
【請求項６】
前記情報処理装置から受信した該情報処理装置における現在の位置情報と、前記移動履歴記憶部に記憶されている前記移動履歴情報とに基づいて、前記情報処理装置の現在位置に関連付けられて定められる第１領域を該情報処理装置が過去に訪れた回数を取得する訪問回数取得部と、
前記訪問回数取得部が取得した前記第１領域への訪問回数に基づいて、前記配信頻度を設定する配信頻度設定部と、
前記配信頻度設定部が設定した前記配信頻度に従って、前記情報提供装置に前記コンテンツを配信するコンテンツ配信部と、
を備えることを特徴とする請求項５に記載の情報提供装置。
【請求項７】
前記配信頻度設定部は、前記第１領域への訪問回数に応じてコンテンツの配信頻度を増減させる際、前記コンテンツ配信部が前記情報処理装置へと配信するコンテンツが使用者への嗜好情報コンテンツと該使用者への環境情報コンテンツの何れであるかの違いに基づき、コンテンツの配信頻度を増やすか又は減らすかを決定する、請求項６に記載の情報提供装置。
【請求項８】
前記情報処理装置が再生したコンテンツの再生履歴情報を記憶する再生履歴記憶部と、
前記情報処理装置における現在の位置情報、前記移動履歴記憶部に記憶されている前記移動履歴情報、及び前記再生履歴記憶部に記憶されている前記再生履歴情報に基づいて、前記情報処理装置の現在位置の周囲に存在する第２領域において該情報処理装置が過去に再生したコンテンツを検索する検索部と、
前記検索部が検索した前記コンテンツを前記情報処理装置に配信するコンテンツ配信部と、
前記コンテンツ配信部から配信された前記コンテンツの前記情報処理装置での再生時に、使用者からの該コンテンツの再生中止指示に関する受付結果を前記情報処理装置から受信する指示受付結果受信部と、
前記指示受付結果受信部が受信した前記受付結果に基づき前記第２領域の大きさを調節する領域調節部と、
を備えることを特徴とする請求項５に記載の情報提供装置。
【発明の詳細な説明】
【技術分野】
【０００１】
本発明は、情報処理装置及び情報提供装置に関する。
【背景技術】
【０００２】
従来、楽曲（音楽）や映像、画像、お勧め情報等のコンテンツを配信するサーバと、サーバから配信されるコンテンツを受信し、コンテンツの提供を受ける車載機とを含むコンテンツ提供システムが公知である。例えば、カーナビゲーション装置等の車載機は、サーバから受信した情報コンテンツをスピーカから出力したり、ディスプレイ等に表示することで、運転者（ユーザ）にコンテンツが提供される。
【０００３】
これに関連して、ユーザの嗜好に応じて情報コンテンツを提供するコンテンツ提供技術が提案されている（例えば、特許文献１、２等を参照）。例えば、特許文献１には、音楽や映像等の再生型のコンテンツの再生履歴からユーザの嗜好を把握して、ユーザ毎に高い広告効果を期待できる広告情報を配信する技術が提案されている。また、特許文献２には、ユーザの音楽的嗜好をサーバに登録し、音楽的嗜好に適合する楽曲データを配信するサーバが提案されている。
【０００４】
また、運転者特性や運転シーン等に応じて、車載機の表示部に表示する情報の表示態様を変更する技術も提案されている（例えば、特許文献３、４等を参照）。例えば、特許文献３では、走行時に急ブレーキを掛ける頻度によって運転者の注意散漫度又は性急度を学習し、注意力が散漫になりやすい運転者に対しては、走行中においてＨＭＩ（Human Machine Interface）に表示する操作ボタンをトーンダウン（輝度や彩度を低下させ）して表
示、或いは消去する技術が提案されている。
【０００５】
また、特許文献４には、運転負荷が小さい時には情報の提示形態を標準提示とし、運転負荷が大きい時には情報の提示形態を簡素化提示とする技術が提案されている。また、特許文献５には、運転負荷に応じて車両情報の表示形式、標準数値から拡大数字、バーグラフ、アイコン、色表示へと順次変更する技術が提案されている。
【先行技術文献】
【特許文献】
【０００６】
【特許文献１】特開２００９−１６９９０９号公報
【特許文献２】特開２００１−２２６７０号公報
【特許文献３】特開２００９−２５７８３２号公報
【特許文献４】特開２００３−３２２５２８号公報
【特許文献５】特開２００６−１８４２２２号公報
【発明の概要】
【発明が解決しようとする課題】
【０００７】
上述のように、運転者特性や嗜好性、運転シーン等に応じて、提供するコンテンツの表示態様（見せ方）を変更し、又は、コンテンツ自体を選定する技術については各種提案されているものの、より付加価値の高い態様でコンテンツを提供できる技術が望まれていた。
【０００８】
本発明は、上記した問題に鑑み、本発明の目的は、ユーザに対してより付加価値の高い態様でコンテンツを提供することの可能な技術を提供することにある。
【課題を解決するための手段】
【０００９】
本発明は、上記課題を解決するために以下の手段を採用した。即ち、本発明における情報処理装置は、ネットワークを介して情報提供装置からコンテンツが配信される情報処理装置であって、前記情報処理装置における現在の位置情報を所定のタイミングで取得する位置情報取得部と、前記位置情報取得部が取得した前記位置情報を前記情報処理装置の移動履歴情報として記憶する移動履歴記憶部と、を備え、少なくとも前記移動履歴記憶部に記憶されている前記移動履歴情報に応じて、前記情報提供装置に前記コンテンツを配信させる配信頻度を制御することを特徴とする。
【００１０】
本発明に係る情報処理装置は、例えば車載機や携帯端末などのように、通常の使用態様において移動する移動型の情報処理装置である。この種の移動型情報処理装置では、情報処理装置の移動履歴を使用者の行動履歴と対応付けることが可能である。本発明では、情報処理装置の位置情報を定期的又は不定期に取得し、情報処理装置の移動履歴情報として記憶することで、情報処理装置の使用者の行動履歴を容易に把握する事ができる。例えば使用者が現在、馴染みの場所（土地、道）にいるのかどうか等を、情報処理装置の移動履歴情報から推測することができる。そして、本発明は少なくとも移動履歴情報に応じて情報提供装置にコンテンツを配信させる配信頻度を制御する（コンテンツの配信回数を制御するということもできる）ようにしたので、使用者の行動履歴や行動特性等に応じて、コンテンツの配信頻度を使用者にとって適切なものとすることができる。従って、より付加価値の高い態様でのコンテンツの提供サービスを行うことができる。
【００１１】
情報処理装置は、前記情報処理装置における現在の位置情報と、前記移動履歴記憶部に記憶されている前記移動履歴情報とに基づいて、前記情報処理装置の現在位置に関連付けられて定められる第１領域を該情報処理装置が過去に訪れた回数を取得する訪問回数取得部と、前記訪問回数取得部が取得した前記第１領域への訪問回数に基づいて、前記配信頻度を設定する配信頻度設定部と、前記配信頻度設定部が設定した前記コンテンツの配信頻度に関する指令を前記情報提供装置に送信する配信頻度指令部と、を備えても良い。
【００１２】
上記の第１領域とは、例えば情報処理装置の現在位置を含み、且つ、その周囲に存在する所定の領域であっても良い。このような第１領域を過去に情報処理装置が訪れた回数が少ないほど、情報処理装置の使用者は現在位置の周辺に馴染みがなく、不慣れな道を通行しているといえる。本発明においては、情報処理装置の現在位置に関連付けられて定められる第１領域への訪問回数に基づいて、情報処理装置における現在位置が使用者にとって慣れた土地（道）であるのか又は不慣れな土地（道）であるのかを判断することができる。そのような判断の結果、情報提供装置にコンテンツを配信させる配信頻度を設定するようにしたので、コンテンツの配信頻度を使用者にとって適切なものとすることができる。
【００１３】
ここで、配信頻度設定部が第１領域への訪問回数に応じてコンテンツの配信頻度を増減させる際、コンテンツの配信頻度を増やすか又は減らすかを、情報提供装置から情報処理装置に配信されるコンテンツの性質（種類）に応じて決定しても良い。例えば、コンテンツには、使用者への嗜好性（嗜好情報）に関する嗜好情報コンテンツと、使用者を取り巻く環境情報に関する環境情報コンテンツに大別することができる。ここで、嗜好情報コンテンツとしては、楽曲データ、映像データ、エンターテイメントコンテンツ（例えば、クイズ）等が典型例として挙げることができる。一方、環境情報コンテンツは、例えば交通情報（渋滞情報）、災害情報、危険情報、抜け道情報等を例示することができ、ユーザの嗜好性とは無関係にユーザに伝えるべき情報である。即ち、環境情報コンテンツの内容は、ユーザに必要な必要情報に関する情報ということもできる。
【００１４】
前記配信頻度設定部は、前記第１領域への訪問回数に応じてコンテンツの配信頻度を増減させる際、前記情報提供装置から配信されるコンテンツが使用者への嗜好情報コンテン
ツと該使用者への環境情報コンテンツの何れであるかの違いに基づき、コンテンツの配信頻度を増やすか又は減らすかを決定するようにしても良い。
【００１５】
例えば、配信頻度設定部は、情報提供装置から配信されるコンテンツが使用者への嗜好情報コンテンツである場合に、前記第１領域への訪問回数が多い場合に比べて少ない場合には、コンテンツ（嗜好情報コンテンツ）の配信頻度が相対的に少なくなるように設定しても良い。
【００１６】
例えば、本発明に係る情報処理装置が車両に搭載されている車載機である場合を想定してみると、第１領域への訪問回数が極端に少ない場合には、運転者は不慣れな道を運転していると判断することができる。そのような場合、嗜好情報コンテンツを頻繁に情報処理装置へと配信してしまうと、運転者の注意力が散漫になってしまう虞がある。そこで、そのような状況下において、情報提供装置から配信されるコンテンツが嗜好情報コンテンツである場合には、嗜好情報コンテンツの配信頻度を少なくすることによって、上記のような弊害が起こることを好適に回避することができる。一方、第１領域への訪問回数が多い場合には嗜好情報コンテンツの配信頻度を多くすることで運転者が車両を運転するという行為に一層の興趣を添えることができる。また、このような状況下では運転者は慣れた道を運転していると判断できるので、嗜好情報コンテンツの配信頻度を多くしても上記のような弊害が起こることもない。
【００１７】
情報提供装置から配信されるコンテンツが環境情報コンテンツである場合、運転者がなれた道を運転する時よりも不慣れな道を運転する時の方が、交通情報（渋滞情報）や危険情報等を頻繁に運転者に提供する方が好ましい。そこで、配信頻度設定部は、情報提供装置から配信されるコンテンツが使用者への環境情報コンテンツである場合に、前記第１領域への訪問回数が多い場合に比べて少ない場合には、コンテンツ（環境情報コンテンツ）の配信頻度が相対的に多くなるように設定しても良い。これによれば、運転者が不慣れな道を運転する状況下においては、運転者を取り巻く環境情報コンテンツを頻繁に情報処理装置（運転者）に提供することができるので、運転者の運転を好適にサポートすることができる。なお、ここでは、情報処理装置が車載機とする場合を例に説明したが、適用対象がこれに限られるものではない。
【００１８】
また、情報処理装置は、前記情報処理装置が再生したコンテンツの再生履歴情報を記憶する再生履歴記憶部と、前記情報処理装置における現在の位置情報、前記移動履歴記憶部に記憶されている前記移動履歴情報、及び前記再生履歴記憶部に記憶されている前記再生履歴情報に基づいて、前記情報処理装置の現在位置の周囲に存在する第２領域において該情報処理装置が過去に再生したコンテンツを検索する検索部と、前記検索部が検索した前記コンテンツの配信要求指令を前記情報提供装置に送信する配信要求指令部と、前記情報提供装置から前記配信要求指令に対応する前記コンテンツを受信するコンテンツ受信部と、前記コンテンツ受信部が受信した前記コンテンツの再生時に、使用者からの該コンテンツの再生中止指示を受け付ける指示受付部と、前記指示受付部による使用者からの前記再生中止指示の受付結果に基づき前記第２領域の大きさを調節する領域調節部と、
を備えても良い。
【００１９】
上記構成によれば、検索部は、第２領域において情報処理装置が過去に再生したコンテンツ（以下、過去再生コンテンツともいう）を検索し、過去再生コンテンツが検出された場合には、この過去再生コンテンツの提供を受けることによって懐かしのコンテンツを楽しむことができる。その際、過去再生コンテンツの再生に際して使用者からの再生中止指示を受け付けた場合には、第２領域の大きさが調節される。このように、過去再生コンテンツを検索するエリアである第２領域の範囲を絞ったり、広げたりすることで、第２領域の範囲内から検索される過去再生コンテンツの量が変化することになる。そのため、比較
的に長い期間で考えた場合の累積的なコンテンツの配信回数、つまり、情報提供装置が配信するコンテンツの配信頻度が変化することになり、以って、使用者のニーズに合致したコンテンツの提供サービスが可能となる。
【００２０】
また、本発明は、ネットワークを介して情報処理装置にコンテンツを配信する情報提供装置としても把握することが可能である。すなわち、本発明における情報提供装置は、ネットワークを介して情報処理装置にコンテンツを配信する情報提供装置であって、前記情報処理装置における位置情報を所定のタイミングで該情報処理装置から受信する位置情報受信部と、前記位置情報受信部が受信した前記位置情報を前記情報処理装置の移動履歴情報として記憶する移動履歴記憶部と、を備え、少なくとも前記移動履歴記憶部に記憶されている前記移動履歴情報に応じて、前記情報処理装置に前記コンテンツを配信する配信頻度を制御することを特徴とする。
【００２１】
また、情報提供装置は、前記情報処理装置から受信した該情報処理装置における現在の位置情報と、前記移動履歴記憶部に記憶されている前記移動履歴情報とに基づいて、前記情報処理装置の現在位置に関連付けられて定められる第１領域を該情報処理装置が過去に訪れた回数を取得する訪問回数取得部と、前記訪問回数取得部が取得した前記第１領域への訪問回数に基づいて、前記配信頻度を設定する配信頻度設定部と、前記配信頻度設定部が設定した前記配信頻度に従って、前記情報提供装置に前記コンテンツを配信するコンテンツ配信部と、を備えても良い。
【００２２】
ここで、配信頻度設定部が第１領域への訪問回数に応じてコンテンツの配信頻度を増減させる際、コンテンツの配信頻度を増やすか又は減らすかを、情報提供装置へと配信するコンテンツの性質（種類）に応じて決定しても良い。例えば、前記配信頻度設定部は、前記第１領域への訪問回数に応じてコンテンツの配信頻度を増減させる際、前記コンテンツ配信部が前記情報処理装置へと配信するコンテンツが使用者への嗜好情報コンテンツと該使用者への環境情報コンテンツの何れであるかの違いに基づき、コンテンツの配信頻度を増やすか又は減らすかを決定しても良い。
【００２３】
例えば、配信頻度設定部は、コンテンツ配信部が情報提供装置に配信するコンテンツが使用者への嗜好情報コンテンツである場合に、前記第１領域への訪問回数が多い場合に比べて少ない場合には、コンテンツ（嗜好情報コンテンツ）の配信頻度が相対的に少なくなるように設定しても良い。また、配信頻度設定部は、情報提供装置に配信するコンテンツが使用者への環境情報コンテンツである場合に、前記第１領域への訪問回数が多い場合に比べて少ない場合には、コンテンツ（環境情報コンテンツ）の配信頻度が相対的に多くなるように設定しても良い。
【００２４】
また、情報提供装置は、前記情報処理装置が再生したコンテンツの再生履歴情報を記憶する再生履歴記憶部と、前記情報処理装置における現在の位置情報、前記移動履歴記憶部に記憶されている前記移動履歴情報、及び前記再生履歴記憶部に記憶されている前記再生履歴情報に基づいて、前記情報処理装置の現在位置の周囲に存在する第２領域において該情報処理装置が過去に再生したコンテンツを検索する検索部と、前記検索部が検索した前記コンテンツを前記情報処理装置に配信するコンテンツ配信部と、前記コンテンツ配信部から配信された前記コンテンツの前記情報処理装置での再生時に、使用者からの該コンテンツの再生中止指示に関する受付結果を前記情報処理装置から受信する指示受付結果受信部と、前記指示受付結果受信部が受信した前記受付結果に基づき前記第２領域の大きさを調節する領域調節部と、を備えても良い。
【００２５】
また、本発明は、情報提供装置及び情報処理装置を備えた情報提供システム、方法、又はコンピュータによって実行されるプログラムとしても把握することが可能である。また
、本発明は、そのようなプログラムをコンピュータやその他の装置、機械等が読み取り可能な記録媒体に記録したものでもよい。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。
【００２６】
また、本発明における課題を解決するための手段は、可能な限り組み合わせることができる。
【発明の効果】
【００２７】
本発明によれば、ユーザに対してより付加価値の高い態様でコンテンツを提供することができる。
【図面の簡単な説明】
【００２８】
【図１】第１実施形態におけるコンテンツ提供システムの全体構成を示すシステム構成図である。
【図２】第１実施形態におけるＡＶＮ機のハードウェア構成例を示す図である。
【図３】第１実施形態における楽曲データの配信概要を説明するための説明図である。
【図４】第１本実施形態におけるＡＶＮ機の制御部に係る機能構成例を示す図である。
【図５】第１実施形態における走行履歴ＤＢのデータ構造を説明するための説明図である。
【図６】第１実施形態における走行履歴ＤＢのデータ構造を説明するための第２の説明図である。
【図７】第１実施形態における情報センター及びＡＶＮ機の動作を示す第１のシーケンス図である。
【図８】第１実施形態における配信頻度調整制御に係る制御ルーチンを示すフローチャートである。
【図９】第１実施形態における情報センターの制御装置が実行する制御ルーチンを示すフローチャートである。
【図１０】第２実施形態におけるコンテンツ提供システムの全体構成を示すシステム構成図である。
【図１１】第２実施形態の情報センターにおける制御装置の機能構成例を示す図である。
【図１２】第２実施形態におけるＡＶＮ機の制御部に係る機能構成例を示す図である。
【図１３】第２実施形態におけるＡＶＮ機及び情報センターの動作を示す第２のシーケンス図である。
【図１４】第３実施形態における楽曲データの配信概要を説明するための説明図である。
【図１５】第３実施形態におけるＡＶＮ機のハードウェア構成例を示す図である。
【図１６】第３実施形態における楽曲再生履歴ＤＢのデータ構造を示す図である。
【図１７】第３実施形態に係るＡＶＮ機の制御部に係る機能構成例を示す図である。
【図１８】第３実施形態における情報センター及びＡＶＮ機の動作を示す第３のシーケンス図である。
【図１９】第３実施形態における懐かし楽曲検索処理を説明するための説明図である。
【図２０】第３実施形態における懐かし楽曲検索処理の処理フローを示すフローチャートである。
【図２１】第４実施形態におけるコンテンツ提供システム１０の全体構成を示すシステム構成図である。
【図２２】第４実施形態におけるＡＶＮ機の制御部に係る機能構成例を示す図である。
【図２３】第４実施形態における情報センターの制御装置の機能構成例を示す図である。
【図２４】第４実施形態における情報センター及びＡＶＮ機の動作を示す第４のシーケンス図である。
【図２５】第４実施形態における懐かし楽曲検索処理の処理フローを示すフローチャートである。
【発明を実施するための形態】
【００２９】
以下、図面を参照して、本発明の実施をするための形態（以下、実施形態という）について説明する。以下の実施形態の構成は例示であり、本発明は実施形態の構成に限定されない。
【００３０】
＜第１実施形態＞
図１は、本実施形態に係るコンテンツ提供システム１０の全体構成を示すシステム構成図である。本実施形態に係るコンテンツ提供システム１０は、車両２に搭載された車載機１（情報処理装置）と、ネットワーク３を通じて車載機１にコンテンツを提供するサーバ装置である情報センター４（情報提供装置）とを含んで構成される。本実施形態における情報センター４は、後述するコンテンツＤＢにコンテンツとして蓄積されている楽曲データを、クライアント端末である車載機１に提供する。
【００３１】
〔情報センター〕
図１に示すように、情報センター４は、無線通信部４１、制御装置４２、コンテンツＤＢ４３を有するサーバシステムである。無線通信部４１は、車載機１との間でやり取りする各種情報に関する通信を行うインターフェースである。具体的には、無線通信部４１は、車載機１側から要求されるコンテンツ配信要求信号を受信したり、コンテンツを車載機１側に送信する。
【００３２】
コンテンツＤＢ４３は、車載機１に提供するためのコンテンツが蓄積されるデータベースであり、この実施形態では、情報コンテンツの一例としての楽曲データが蓄積される。コンテンツＤＢ４３には、例えばコンテンツの管理者によって、順次、最新の楽曲データが蓄積、更新されていく。
【００３３】
制御装置４２は、プロセッサ４２ａ、主記憶装置４２ｂ、補助記憶装置４２ｃなどを備えるコンピュータである。主記憶装置４２ｂは、プロセッサ４２ａに、補助記憶装置４２ｃに格納されているプログラムをロードする記憶領域および作業領域を提供したり、バッファとして用いられたりする、例えばＲＡＭ（Random Access Memory）のような半導体メモリである。補助記憶装置４２ｃは、様々なプログラムや各プログラムの実行に際してプロセッサ４２ａが使用するデータを記憶する、ＥＰＲＯＭ（Erasable Programmable ROM
）やハードディスク（Hard Drive Disc）等の記憶装置である。また、補助記憶装置４２
ｃは、例えば、オペレーティングシステム（ＯＳ）等、種々のアプリケーションプログラムを格納する。プロセッサ４２ａは、例えば、ＣＰＵ（Central Processing Unit）や、
ＤＳＰ（Digital Signal Processor）等であり、補助記憶装置４２ｃに保持されたＯＳや様々なアプリケーションプログラムを主記憶装置４２ｂにロードして実行することによって、様々な処理を実行する。
【００３４】
〔車載機〕
図２は、車載機１のハードウェア構成例を示す図である。本実施形態に係る車載機１は
、車載用オーディオ・ビジュアル・ナビゲーション一体機（以下、「ＡＶＮ機」という）である。ＡＶＮ機１は、制御部１００、外部記録媒体再生部１０１、ラジオ受信部１０２、テレビジョン（Television、ＴＶ）受信部１０３、ディスク再生部１０４、ハードディスク（Hard Disk、ＨＤ）再生部１０５、ナビゲーション部１０６、分配回路１０７、画
像調整回路１０８、音声調整回路１０９、画像出力部１１０、ＶＩＣＳ（Vehicle Information and Communication System）情報受信部１１１、ＧＰＳ（Global Positioning System）情報受信部１１２、セレクタ１１３、操作部１１４、記憶部１１７、通信ユニット
１２１、表示部１２２を含む。
【００３５】
制御部１００は、ＡＶＮ機１の各部又は接続された外部機器からの信号、及び使用者（ユーザ）の操作に基づく操作部１１４からの操作指示信号等を入力し、それら信号に基づきＡＶＮ機１の各部、又は、外部機器を統括的に制御する。制御部１００は、例えば、マイクロコンピュータ（マイコン）と、このマイコンの処理に利用される周辺回路（ＲＯＭ（Read Only Memory）、ＲＡＭ（Random Access Memory）、インターフェース回路等）を備え、ＲＯＭ等の周辺回路に記憶されたプログラムに従い動作する。
【００３６】
外部記録媒体再生部１０１は、例えば、ＵＳＢ（Universal Serial Bus）メモリやＳＤカード等の外部記録媒体を接続するためのコネクタを備える。そして、外部記録媒体再生部１０１は、当該コネクタに接続された外部記録媒体に記憶された各種データから所望のデータを読み出し、読み出した画像信号、音声信号又は文字信号等を分配回路１０７に出力する。該コネクタに接続された外部記録媒体に記録されたデータを読み出して出力する。なお、外部記録媒体再生部１０１は、制御部１００からの制御信号により、コネクタに接続された外部記録媒体からデータを読み出す動作等が制御される。
【００３７】
ラジオ受信部１０２は、アンテナにより受信された各ラジオ局から発信されるＡＭ又はＦＭの放送波から、特定の周波数の放送波を選択して受信し、復調してから放送の音声信号を分配回路１０７に出力する。ＴＶ受信部１０３は、アンテナにより受信された各放送局から発信される放送波から、セレクタ１１３により特定の周波数の放送波を受信し、受信した映像信号、音声信号及びデータ信号を分配回路１０７に出力する。ラジオ受信部１０２及びＴＶ受信部１０３は、同調回路、復調及び復号回路等を備え、制御部１００からの制御信号により、オン／オフ、受信周波数等の各種動作が制御される。
【００３８】
ディスク再生部１０４は、ＣＤ（Compact Disc）、ＭＤ（Mini Disc）、ＤＶＤ（Digital Versatile Disc）、及びブルーレイディスク（Blu-ray Disc）などのディスクに記録
されているデータをピックアップにより読込み、読み込んだデータに基づく、音声信号、映像信号を分配回路１０７に出力する。ディスク再生部１０４は、光学ピックアップ、ピックアップディスク駆動機構、ピックアップディスク駆動機構の制御回路、読取信号の復号回路等を備え、制御部１００からの制御信号により、オン／オフ、読み込み位置等の各種動作が制御される。
【００３９】
ＨＤ再生部１０５は、磁気記録媒体であるハードディスクに記録された各種データから所望のデータを読み出し、読み出した画像信号、音声信号又は文字信号等を分配回路１０７に出力する。ハードディスクには、ＭＰ３ファイル等の音楽データやＪＰＥＧファイル等の画像データ、ナビゲーション用の地図データ等が記録される。ＨＤ再生部１０５は、読取信号の復号回路等を備え、制御部１００からの制御信号によりオン／オフ、読み出すデータ等の各種動作が制御される。なお、ナビゲーションの為に利用される地図情報を記憶する記憶装置（媒体）は、外部記録媒体再生部１０１に接続される上述の外部記録媒体、ディスク再生部１０４によって処理される各種ディスク、ＨＤ再生部１０５に接続されるハードディスク等であっても良い。
【００４０】
ＶＩＣＳ情報受信部１１１は、交通情報通信システム（ＶＩＣＳ）に係る交通情報を受信し、受信した交通情報を出力する。ＶＩＣＳ情報受信部１１１は、交通情報通信システムからのデータを受信する受信機（ＦＭ受信機、電波ビーコン受信機、光ビーコン受信機）、受信したデータを復号する復号回路等を備える。ＧＰＳ情報受信部１１２は、ＧＰＳ衛星からのＧＰＳ信号に基づき自車位置を検出し、検出した現在位置情報を出力する。ＧＰＳ情報受信部１１２は、ＧＰＳ信号を受信する受信回路、受信したＧＰＳ信号に基づき自車位置を算出する演算回路等を備える。
【００４１】
ナビゲーション部１０６は、後述する表示部１２２に表示された地図上に自車位置や目的地までの経路を表示したり、交差点等で音声等により右左折等の進行方向案内を行ったり、ＶＩＣＳ情報受信部１１１から交通情報を受信して表示したり、ＧＰＳ情報受信部１１２から自車位置情報を受信して表示したりして、目的地までの経路案内を行う。ナビゲーション部１０６は、ナビゲーションの為に利用される地図情報を記録するハードディスク、各種演算処理を行うＣＰＵ（Central Processing unit）、各種処理のためにデータ
を記憶するＲＡＭ（Random Access Memory）等のメモリを備える。ナビゲーション部１０６は、制御部１００からの制御信号により、オン／オフ、各種動作が制御される。
【００４２】
分配回路１０７は、制御部１００の制御信号により、出力することが指定された各種ソース（外部記録媒体再生部１０１、ラジオ受信部１０２、ＴＶ受信部１０３、ディスク再生部１０４、ＨＤ再生部１０５、及びナビゲーション部１０６）の音声信号と画像信号とを画像調整回路１０８及び音声調整回路１０９に出力する。分配回路１０７は、リレーまたはスイッチングトランジスタ等の電子回路で構成されたスイッチ群を備える。
【００４３】
画像調整回路１０８は、制御部１００の制御信号により、入力された画像信号に対し、輝度や色調、コントラストなどを調整し、調整した各画像信号を出力する。画像調整回路１０８は、画像データを記憶するメモリ、画像データを演算処理するデジタルシグナリングプロセッサ等の演算回路等を備える。画像出力部１１０は、画像調整回路１０８から入力された画像信号と、制御部１００から表示部１２２に表示させる表示画像信号とを入力して画像合成等の処理を施し、当該処理を施した画像信号に基づき表示部１２２を駆動する。画像出力部１１０は、例えば、演算処理により、画像処理を行う画像用に特化された演算処理回路である画像ＡＳＩＣ、画像処理及び出力用に画像データを記憶するビデオメモリ、画像出力用ビデオメモリに記憶された画像データに基づき表示部１２２を駆動する画像駆動回路等を備える。
【００４４】
表示部１２２は、画像出力部１１０から入力された画像信号に基づき画像を表示する。表示部１２２は、例えば、液晶ディスプレイ、有機ＥＬディスプレイ、プラズマディスプレイ、冷陰極フラットパネルディスプレイ等である。表示部１２２は、バックライト、液晶パネル、タッチパネル等を備える。
【００４５】
音声調整回路１０９は、制御部１００の制御信号により、入力された音声信号に対し、音量、音声を調整し、調整した音声信号を出力する。音声調整回路１０９は、音声データを記憶するメモリ、音声データを演算処理するデジタルシグナルプロセッサ等の演算回路、トランジスタ、抵抗、コイル等により構成される増幅又は減衰回路や共振回路等を備える。スピーカ１６は、音声調整回路１０９から出力された音声信号を音声として出力する。
【００４６】
操作部１１４は、ＡＶＮ機１に対して使用者が各種操作を行うための入力部であり、例えばタッチパネル、押釦スイッチ、回転操作スイッチ、ジョイスティック等である。操作部１１４は、ＡＶＮ機１に対する使用者による各種操作の操作状態を制御部１００に出力する。
【００４７】
記憶部１１７は、制御部１００による各種処理に必要なデータ及びプログラムを格納すると共に、車両２の走行履歴を記憶、蓄積するデータベース（以下、「走行履歴ＤＢ」という）１１７ａを有する。記憶部１１７は、例えば、ＲＡＭやフラッシュＲＯＭ（フラッシュメモリ）等のメモリ、磁気記録媒体等であるハードディスク等の記憶装置を含むことができる。ＡＶＮ機１は、例えば各種プログラムの実行を通じて、又は静的に、上記記憶装置における記憶領域に記憶部１７を生成する。また、走行履歴ＤＢ１１７ａのデータ構造については後述する。
【００４８】
通信ユニット１２１は、アンテナに接続された、例えば、ＤＡＲＣ（Dedicated Short Range Communication）、赤外線通信、ブルートゥース（登録商標）等の近距離の無線通
信のための通信インターフェースである。
【００４９】
以上のように構成されるＡＶＮ機１及び情報センター４からなるコンテンツ提供システム１０においては、情報センター４から順次、コンテンツとしての楽曲データが車載機１に配信され、ＡＶＮ機１は情報センター４から配信されてくる楽曲データを再生することができる。例えば、情報センター４からＡＶＮ機１に対する楽曲データ（音楽データ）の配信サービスの開始後、情報センター４から配信される楽曲データの配信間隔は初期設定値に設定されており、初期インターバル毎に楽曲データが情報センター４から配信されている。情報センター４により提供されるコンテンツとしての楽曲データは、その提供サービスを受けるＡＶＮ機１におけるユーザへの嗜好情報であり、例えば運転者による運転作業に興趣を添えるものである。しかし、このような嗜好情報を過剰に提供してしまうと、運転者による車両２の運転に対する集中力や注意力を散漫にさせてしまうことに繋がることも懸念される。
【００５０】
そこで、本実施形態では、現在車両２の走行履歴に関する情報（ＡＶＮ機１の移動履歴情報）に応じて、情報センター４から配信される楽曲データの配信間隔をコントロールする配信頻度調整制御を行うようにした。図３は、第１実施形態における楽曲データの配信概要を説明するための説明図である。例えば、現在、運転者の自宅が「神戸」にあり、過去には「名古屋」に居住していたとする。ここで、運転者が、自宅のある「神戸」を出発地として「名古屋」を目的地とし、「神戸」→「大阪」→「京都」→「滋賀」→「三重」→「名古屋」の経路でドライブ旅行をすることを想定する。この例では、運転者にとって自宅のある「神戸」、その周辺である「大阪」、過去に住んでいた「名古屋」は馴染みの土地であるが、その他の「京都」、「滋賀」、「三重」は馴染みのない土地である。換言すると、運転者にとって「神戸」、「大阪」、「名古屋」の道は慣れているが、「京都」、「滋賀」、「三重」の道は不慣れであるといえる。
【００５１】
本実施形態におけるコンテンツ提供システム１０では、運転者が慣れた道を走行しているのか、又は、不慣れな道を走行しているのかに応じて、楽曲データの配信間隔Ｉｖｗを調節するようにした。具体的には、図３に示すように、車両２の運転者が慣れた道を走行する際には情報センター４からＡＶＮ機１に配信される楽曲データ（コンテンツ）の配信間隔Ｉｖｗを相対的に小さくし、逆に、運転者が不慣れな道を走行する際には配信間隔Ｉｖｗを相対的に大きくする。これにより、運転者が良く慣れた道を運転する状況下においては、楽曲データの提供サービスを高頻度に行うことでドライブに一層の興趣を添えることができる。一方、運転者が不慣れな道を運転する状況下においては、楽曲データを提供する頻度を下げ、或いは楽曲データの提供そのものを停止させることにより、運転者の注意力が削がれたり、散漫になったりすることを回避することができる。
【００５２】
以下に、上述した配信頻度調整制御の具体的な処理内容について説明する。ここでは、ＡＶＮ機１が主体となって配信頻度調整制御を実行する例を説明する。図４は、本実施形
態におけるＡＶＮ機１の制御部１００に係る機能構成例を示す図である。ＡＶＮ機１は、制御部１００に相当するマイコン（ＣＰＵ）が、ＲＯＭ等の周辺回路に記憶された種々のプログラムを実行することによって、位置情報取得部１００１、通行回数取得部１００２、配信頻度設定部１００３、配信頻度指令部１００４、コンテンツ受信部１００５、コンテンツ再生部１００６として動作する。
【００５３】
位置情報取得部１００１は、例えば一定周期毎に、車両２の現在位置（以下、「自車位置」という。緯度、経度、走行中の道路種別などを含む。）に関する情報（自車位置情報）を、ＧＰＳ情報受信部１１２を通じて取得する。なお、本実施形態では、ＡＶＮ機１は車載機であるため、自車位置とＡＶＮ機１の位置は一致する。ここでは、自車位置情報が情報処理装置の位置情報に対応している。
【００５４】
位置情報取得部１００１は、取得した自車位置情報を、走行履歴ＤＢ１１７ａ（移動履歴記憶部に対応）に、車両２の走行履歴（情報処理装置の移動履歴に対応）として記憶、蓄積させる。ここで、図５は、第１実施形態における走行履歴ＤＢ１１７ａのデータ構造を説明するための説明図である。走行履歴ＤＢ１１７ａは、メッシュ番号（メッシュコード）、計測回数、最新計測日時に関する情報が格納されている。メッシュ番号は、例えば、ハードディスクに格納されているナビゲーション用の地図データ上において、一定の緯度、経度によって地域を網の目（メッシュ）状に区画したときの各メッシュに割り当てられた固有の番号である（図６を参照）。ここでは例示的に第３次地域区画（３次メッシュ、約１×１ｋｍ）を採用しているが、メッシュの大きさ、単位は適宜変更可能である。位置情報取得部１００１が取得した自車位置情報は、車両２の走行履歴情報として、順次、走行履歴ＤＢ１１７ａに記憶、蓄積される。
【００５５】
通行回数取得部１００２（訪問回数取得部に対応）は、自車位置情報と、走行履歴ＤＢ１１７ａに記憶されている車両２の走行履歴情報に基づいて、自車位置情報に係る緯度、経度によって定まる自車位置に関連付けられて定められる第１領域を、車両２が過去に通った通行回数Ｎｐ（訪問回数に対応）を取得する。本実施形態における第１領域とは、図５及び図６で説明した各メッシュに相当する領域であるが、これに限られない。第１領域は、自車位置を含み且つその周囲に所定の広がりを持った領域であり、その範囲の大きさは適宜変更できる。また、第１領域の形状は、図６に示した網目形状（矩形形状）でなくとも良く、また、車両２が通行している道路を地図データから特定し、第１領域として採用しても良い。
【００５６】
通行回数取得部１００２が取得した通行回数Ｎｐは、例えば制御部１００のＲＡＭ等に記憶される。配信頻度設定部１００３は、通行回数Ｎｐに基づいて、情報センター４の制御装置４２に楽曲データを配信させる配信間隔Ｉｖｗを設定する。設定された配信間隔Ｉｖｗは、例えば制御部１００のＲＡＭに記憶される。
【００５７】
配信頻度指令部１００４は、配信頻度設定部１００３が設定した配信間隔Ｉｖｗに関する指令信号（以下、「配信間隔調節指令信号ＳＧ１」という）を通信ユニット１２１に出力し、情報センター４における無線通信部４１に配信間隔調節指令信号ＳＧ１を送信させる。情報センター４の無線通信部４１が受信した配信間隔調節指令信号ＳＧ１は制御装置４２に出力され、その主記憶装置４２ｂ、或いは補助記憶装置４２ｃに記憶される。そして、情報センター４の制御装置４２におけるプロセッサ４２ａが、設定されている配信間隔Ｉｖｗに従って、コンテンツＤＢ４３に格納されている楽曲データを、無線通信部４１からＡＶＮ機１に配信する。
【００５８】
コンテンツ受信部１００５は、情報センター４側の無線通信部４１から送信された楽曲データを、通信ユニット１２１を通じて受信する。コンテンツ受信部１００５が受信した
楽曲データは、ＨＤ再生部１０５に接続されるハードディスクに記録される。コンテンツ再生部１００６は、ハードディスクに記録された楽曲データをＨＤ再生部１０５を通じて読み出し、再生する。
【００５９】
〔処理フロー〕
図７は、第１実施形態における情報センター４及びＡＶＮ機１の動作を示す第１のシーケンス図である。この第１のシーケンスは、例えば車両２のアクセサリー（ＡＣＣ）電源がＯＮにされてから所定時間（例えば、数分〜１０分程度）の経過後、ＡＶＮ機１の制御部１００がコンテンツ配信開始要求信号を情報センター４に送信することをトリガとして開始される。
【００６０】
情報センター４が無線通信部４１を介してコンテンツ配信開始要求信号を受信すると、制御装置４２（プロセッサ４２ａ）は、楽曲データの配信タイミングか否かを判定する（ステップＳ１０１）。ここで、制御装置４２における記憶装置、例えば主記憶装置４２ｂには、楽曲データの配信間隔Ｉｖｗに関するデフォルト配信間隔Ｉｖｗｓが予め記憶されており、また、後述するように、ＡＶＮ機１側から送信されてくる配信間隔Ｉｖｗの更新値（設定変更値）が随時記憶されるようになっている。
【００６１】
情報センター４の制御装置４２（プロセッサ４２ａ）は、例えば主記憶装置４２ｂに記憶されている配信間隔Ｉｖｗに従って、コンテンツＤＢ４３に格納されている楽曲データを無線通信部４１からＡＶＮ機１に配信し（ステップＳ１０２）、ＡＶＮ機１の制御部１００は受信した楽曲データを再生する（ステップＳ１０３）。ステップＳ１０３に係る処理の実行により、制御部１００はコンテンツ再生部１００６として機能する。
【００６２】
次に、ＡＶＮ機１の制御部１００が実行する配信頻度調整制御の処理フローについて説明する。図８は、第１実施形態における配信頻度調整制御に係る制御ルーチンを示すフローチャートである。この配信頻度調整制御に係る制御ルーチンは、制御部１００によって所定周期（例えば、数分間隔）毎に繰り返し実行される。
【００６３】
本制御ルーチンが開始されると、制御部１００は、自車位置情報を取得する（ステップＳ２０１）。本ステップに係る処理の実行により、制御部１００は位置情報取得部１００１として機能する。次に、ＡＶＮ機１における制御部１００は、自車位置情報をパラメータとして、走行履歴ＤＢ１１７ａにアクセスし、地図データ上において現在の自車位置に対応するメッシュ番号（以下、「自車位置対応メッシュ番号」という）を検索する。そして、制御部１００は、検索した自車位置対応メッシュ番号に対応して記憶されている通行回数Ｎｐを走行履歴ＤＢ１１７ａから取得する（ステップＳ２０２）。本ルーチンでは、ステップＳ２０２に係る処理の実行によって通行回数取得部１００２が実現される。
【００６４】
次に、制御部１００は、通行回数Ｎｐが基準通行回数Ｎｐｂ以上であるかどうかを判定する（ステップＳ２０３）。肯定判定された場合（Ｎｐ≧Ｎｐｂ）には、現在、車両２は運転者が慣れた道を走行していると判断されるため、ステップＳ２０４に進む。基準通行回数Ｎｐｂは、運転者が慣れている道を走行しているかどうかを判断するための基準となる、通行回数Ｎｐに設定される閾値である。ステップＳ２０４において、制御部１００は、配信間隔Ｉｖｗを初期設定値（以下、「デフォルト配信間隔」ともいう）Ｉｖｗｓに設定する。このデフォルト配信間隔Ｉｖｗｓは、予め制御部１００における不揮発性のメモリに記憶されている。デフォルト配信間隔Ｉｖｗｓは、運転者が慣れている道の走行している時に適した配信間隔Ｉｖｗである。なお、配信間隔Ｉｖｗがもともとデフォルト配信間隔Ｉｖｗｓであった場合には、本ステップにおいては何も処理を行う必要はない。本ステップの処理が終了すると、本ルーチンを抜ける。
【００６５】
一方、本ステップにおいて否定判定された（Ｎｐ＜Ｎｐｂ）場合、制御部１００は、現在、運転者が不慣れな道を走行していると判断し、ステップＳ２０５に進む。ステップＳ２０５において、制御部１００は、配信間隔Ｉｖｗをデフォルト配信間隔Ｉｖｗｓよりも大きな値に設定し直す。すなわち、配信間隔Ｉｖｗが長くなるように、その設定値を変更する。本ルーチンでは、ステップＳ２０５における処理により配信頻度設定部１００３が実現される。なお、本ステップにおいて、配信間隔Ｉｖｗを長くするという概念には、情報センター４からの楽曲データの配信自体を停止させることが含まれる。
【００６６】
次に、制御部１００は、配信間隔調節指令信号ＳＧ１を通信ユニット１２１から情報センター４に送信する（ステップＳ２０６）。ステップＳ２０６における処理によって配信頻度指令部１００４が実現される。本ステップの処理が終了すると、本ルーチンを抜ける。
【００６７】
次に、情報センター４側が実行する処理フローについて説明する。図９は、第１実施形態における情報センター４の制御装置４２（プロセッサ４２ａ）が実行する制御ルーチンを示すフローチャートである。この制御ルーチンは、制御装置４２によって所定周期毎に繰り返し実行される。本制御ルーチンが開始されると、まず、制御装置４２におけるプロセッサ４２ａは、配信間隔調節指令信号ＳＧ１を受信したか否かを判定する（ステップＳ３０１）。プロセッサ４２ａが、配信間隔調節指令信号ＳＧ１を受信したと判定した場合（Ｓ３０１：Ｙｅｓ）、ステップＳ３０２に進む。一方、プロセッサ４２ａが配信間隔調節指令信号ＳＧ１を受信していないと判定した場合（Ｓ３０１：Ｎｏ）、本ルーチンを一旦抜ける。
【００６８】
ステップＳ３０２において、制御装置４２におけるプロセッサ４２ａは、配信間隔調節指令信号ＳＧ１に係る最新の配信間隔Ｉｖｗを記憶装置に記憶させ、配信間隔Ｉｖｗの設定値を更新する。これにより、図７に示すシーケンスのステップＳ１０１では、更新後における配信間隔Ｉｖｗに従って、コンテンツＤＢ４３に格納されている楽曲データがＡＶＮ機１に配信されるようになる。これにより、情報センター４からＡＶＮ機１に配信される楽曲データの配信頻度を変更させることができる。本ステップの処理が終了すると本ルーチンを一旦抜ける。
【００６９】
本実施形態における配信頻度調整制御では、走行履歴ＤＢ（履歴記憶部）に記憶されている車両２の走行履歴情報、つまり、ＡＶＮ機１の通行履歴情報に応じて、情報センター４にコンテンツとしての楽曲データを配信させる配信頻度を制御する。そして、車両２の走行履歴情報に基づいて、現在走行中の道が運転者にとって慣れた道であるか、又は不慣れな道であるかの違いに応じて、コンテンツの提供頻度を変更するようにした。そして、例えば運転者の自宅周辺の馴染みの道ではコンテンツの提供頻度を高めることでユーザのサービス満足度を高める一方、不慣れな道を運転する際にはコンテンツの提供頻度を低くし、場合によってはコンテンツの提供自体を停止させる。これにより、運転者が不慣れな道を運転する際にも集中力や注意力が散漫になることを抑制できる。従って、本実施形態に係る情報提供システム、情報処理装置によれば、使用者に付加価値の高い態様でコンテンツを提供することが可能である。
【００７０】
ここで、最新楽曲データのように、運転者の注意を引き易いコンテンツが情報センター４から配信される場合には、本発明を適用することでより顕著な作用効果を奏することができる。運転者が不慣れな道で最新楽曲データが過剰な頻度で配信されると、運転者の注意力が削がれ易くなると考えられるからである。なお、本実施形態、及び後述する他の実施形態において、情報センター４から配信されるコンテンツは楽曲データに限らず、例えば交通情報、抜け道情報、クイズ等のエンターテイメント情報など、あらゆるコンテンツを提供する場合においても本発明を適用することができる。
【００７１】
また、上述した配信頻度調整制御の変形例として、情報センター４から配信されるコンテンツの種類（性質、性格）に応じて、コンテンツの配信間隔Ｉｖｗを調節する態様を変更しても良い。ここで、情報センター４から配信されるコンテンツの種類を大きく分けると、ユーザの嗜好性（嗜好情報）に関する嗜好コンテンツと、使用者を取り巻く環境情報に関する環境情報コンテンツに分けることができる。嗜好情報としては、上記した楽曲データや、映像データ、エンターテイメントコンテンツ（例えば、クイズ）等が典型例として挙げることができる。一方、環境情報コンテンツは、例えば交通情報（渋滞情報）、災害情報、危険情報、抜け道情報等を例示することができ、ユーザの嗜好性とは無関係にユーザに伝えるべき情報である。即ち、環境情報コンテンツの内容は、ユーザに必要な必要情報に関する情報ということもできる。
【００７２】
ここで、楽曲データなどの嗜好情報コンテンツにおいては、不慣れな道を運転する時には慣れた道を運転する時に比べて、コンテンツの配信間隔Ｉｖｗを長くするのが好ましい点は上述の通りである。一方、環境情報コンテンツに関しては、不慣れな道を運転する時には慣れた道を運転する時に比べて、その配信間隔Ｉｖｗを短くした方が良いと考えられる。抜け道情報や渋滞情報、或いは災害情報などは、馴染みのある道を運転する時よりも、馴染みのない道を運転する時の方が、その有用性が高まるからである。
【００７３】
そこで、本実施形態における配信頻度調整制御では、車両が第１領域を過去に通った通行回数Ｎｐに応じてコンテンツの配信頻度、即ち配信間隔Ｉｖｗを増減させる際に、情報センター４からＡＶＮ機１に配信されるコンテンツが嗜好情報コンテンツと環境情報コンテンツの何れであるかの違いに基づいて、コンテンツの配信頻度を増やすか又は減らすかを決定すると良い。例えば、ＡＶＮ機１に情報センター４から配信されるコンテンツが嗜好情報コンテンツである場合の制御例については、通行回数Ｎｐが多い場合に比べて少ない場合には、嗜好情報コンテンツの配信頻度が相対的に少なくなるように配信間隔Ｉｖｗを長く設定する。
【００７４】
一方、情報センター４から配信されるコンテンツが環境情報コンテンツである場合、運転者がなれた道を運転する時よりも不慣れな道を運転する時の方が、交通情報（渋滞情報）や危険情報等の環境情報コンテンツを頻繁に運転者に提供する方が好ましい。そこで、情報センター４からＡＶＮ機１に配信されるコンテンツが環境情報コンテンツである場合、配信頻度調整制御において取得した通行回数Ｎｐが多い場合に比べて少ない場合には、環境情報コンテンツの配信頻度が相対的に多くなるように配信間隔Ｉｖｗを短く設定する。
【００７５】
より具体的には、配信頻度調整制御において取得した通行回数Ｎｐが基準通行回数Ｎｐｂ未満である場合、情報センター４から配信されるコンテンツが嗜好情報コンテンツであれば配信間隔Ｉｖｗを相対的に広げることでコンテンツの配信頻度を少なくし、配信されるコンテンツが環境情報コンテンツである場合には配信間隔Ｉｖｗを狭めることでコンテンツの配信頻度を多くすると良い。このように、情報処理装置に提供されるコンテンツの種類、性質の違いに応じて、より実情に即したサービスが可能となる。なお、本実施形態においては、情報提供装置としての情報センター４からコンテンツの提供を受ける情報処理装置の例示として車載機を採用しているが、これに限られない。例えば、携帯端末やその他の情報処理装置であっても良く、本発明を好適に適用することが可能である。
【００７６】
なお、情報センター４から配信されるコンテンツの種類（性質、性格）に応じて、コンテンツの配信間隔Ｉｖｗ（つまり、配信頻度）を調節する態様や、情報処理装置を車載機以外の装置に適用する態様については、後述する他の実施形態においても好適に適用できる。
【００７７】
＜第２実施形態＞
次に、第２実施形態に係るコンテンツ提供システム１０について説明する。第１実施形態では、配信頻度調整制御をＡＶＮ機１側で主体的に行う場合を例に説明したが、本実施形態では、同制御を情報センター４側で主体的に行う態様を説明する。なお、配信頻度調整制御の各処理を行う構成が異なるものの、その基本的な内容は第１実施形態で説明したものと同様である。以下、第１実施形態との相違点を中心に説明する。
【００７８】
図１０は、第２実施形態におけるコンテンツ提供システム１０の全体構成を示すシステム構成図である。第１実施形態と同様の構成については、同じ符号を付すことで詳しく説明を省略する。本実施形態に係る情報センター４において、符号４４は、走行履歴ＤＢを示す。本実施形態では情報センター４が走行履歴ＤＢを有している点で第１実施形態と相違する。なお、走行履歴ＤＢ４４のデータ構造は、第１実施形態において図５及び図６を参照して説明したものと同様である。従って、走行履歴ＤＢは、ＡＶＮ機１側には備えられていない。
【００７９】
図１１は、情報センター４における制御装置４２（プロセッサ４２ａ）の機能構成例を示す図である。プロセッサ４２ａは、各種プログラムを主記憶装置４２ｂにロードして実行することによって、位置情報受信部４２１、通行回数取得部４２２（訪問回数取得部に対応）、配信頻度設定部４２３、コンテンツ配信部４２４として動作する。また、図１２は、第２実施形態におけるＡＶＮ機１の制御部１００に係る機能構成例を示す図である。ＡＶＮ機１は、制御部１００に相当するマイコン（ＣＰＵ）が、ＲＯＭ等の周辺回路に記憶された種々のプログラムを実行することによって、位置情報取得部１００１、コンテンツ受信部１００５、コンテンツ再生部１００６、位置情報送信部１００７として動作する。
【００８０】
ここで、位置情報送信部１００７は、位置情報取得部１００１が取得した自車位置情報を情報センター４側に送信する。情報センター４における位置情報受信部４２１は、ＡＶＮ機１側から送信されてくる自車位置情報を、無線通信部４１を通じて取得し、走行履歴情報として走行履歴ＤＢに記憶、蓄積させる。通行回数取得部４２２、配信頻度設定部４２３はそれぞれ、第１実施形態において説明した通行回数取得部１００２、配信頻度設定部１００３に対応する機能を実現する。すなわち、通行回数取得部４２２は、自車位置情報と走行履歴ＤＢ１１７ａに記憶されている車両２の走行履歴情報に基づいて、車両２の現在位置を含む所定領域である第１領域を過去に車両２が何回通行したかの回数である通行回数Ｎｐを取得する。そして、配信頻度設定部４２３は、上記通行回数Ｎｐに基づいて情報センター４の制御装置４２に楽曲データを配信する配信間隔Ｉｖｗを設定する。
【００８１】
図１３は、第２実施形態におけるＡＶＮ機１及び情報センター４の動作を示す第２のシーケンス図である。第２のシーケンスは、所定周期（例えば、１〜数分程度）毎に繰り返し実行される。なお、既に説明したシーケンス図、フローチャート図と同じ処理がなされる場合には、同じステップ番号を付すことで、その詳しい説明は省略する。第２のシーケンスでは、まず、ＡＶＮ機１における制御部１００は、先述した自車位置情報を取得する（ステップＳ２０１）。更に、制御部１００は、自車位置情報を、通信ユニット１２１を通じて、情報センター４に送信する（ステップＳ４０１）。本シーケンスにおいては、ステップＳ２０１の処理によって位置情報取得部１００１が実現され、ステップＳ４０１の処理によって位置情報送信部１００７が実現される。
【００８２】
制御装置４２におけるプロセッサ４２ａは、無線通信部４１を通じて自車位置情報を受信し、受信した自車位置情報を走行履歴情報として走行履歴ＤＢ１１７ａに記憶させる（ステップＳ４０２）。なお、このステップＳ４０２の処理によって位置情報受信部４２１
が実現される。
【００８３】
次に、プロセッサ４２ａは、走行履歴ＤＢ１１７ａにアクセスし、車両２の現在位置に対応する自車位置対応メッシュ番号を探索すると共に、その自車位置対応メッシュ番号に対応付けられて格納されている通行回数Ｎｐを読み出す（ステップＳ４０３）。そして、プロセッサ４２ａは、このようにして取得した通行回数Ｎｐが基準通行回数Ｎｐｂ以上であるかどうかを判定し、その判定結果に基づいてコンテンツとしての楽曲データを配信する配信間隔Ｉｖｗを設定する（ステップＳ４０４）。
【００８４】
ここで、通行回数Ｎｐの取得値が基準通行回数Ｎｐｂ以上である場合、現在、運転者が慣れている道を運転しているものと判断される。この場合、楽曲データの配信間隔Ｉｖｗの設定値を先述したデフォルト配信間隔Ｉｖｗｓに維持し、仮に、現在の設定値がデフォルト配信間隔Ｉｖｗｓよりも長い場合にはデフォルト配信間隔Ｉｖｗｓに変更することで配信間隔Ｉｖｗを短くする。一方、通行回数Ｎｐの取得値が基準通行回数Ｎｐｂ未満である場合、現在、運転者は不慣れな道を運転しているものと判断される。この場合、運転者の運転に対する集中力を高め、注意力が散漫になることを抑止すべく、楽曲データの配信間隔Ｉｖｗが長くなるようにその設定値を変更する。例えば、配信間隔Ｉｖｗが、デフォルト配信間隔Ｉｖｗｓよりも長くなるように変更する。
【００８５】
プロセッサ４２ａは、上記のように設定した配信間隔Ｉｖｗにて、コンテンツＤＢ４３に格納されている楽曲データを、順次、ＡＶＮ機１に配信する（ステップＳ４０５）。この第２のシーケンスでは、ステップＳ４０３〜Ｓ４０５の各ステップの各処理によって通行回数取得部４２２、配信頻度設定部４２３、コンテンツ配信部４２４がそれぞれ実現される。そして、ＡＶＮ機１における制御部１００は、情報センター４Ａから受信した楽曲データを再生する（ステップＳ１０３）。
【００８６】
本実施形態では、配信頻度調整制御を情報センター４側で実行する場合においても、第１実施形態で述べた事項と同様な作用効果を奏する。
【００８７】
＜第３実施形態＞
次に、第３実施形態に係るコンテンツ提供システム１０について説明する。第１及び第２実施形態では、情報センター４からＡＶＮ機１に提供するコンテンツの配信頻度を車両２の走行履歴情報に応じて直接的に調整したが、本実施形態では、コンテンツの配信頻度を走行履歴情報に応じて間接的に調整する。
【００８８】
コンテンツ提供システム１０によるコンテンツの提供概要について説明する。図１４は、第３実施形態における楽曲データの配信概要を説明するための説明図である。ここでは仮に、ユーザの自宅のある「神戸」を出発地として「名古屋」までドライブ旅行をすることを想定する。また、ユーザは過去に「名古屋」に住んでいた経験があり、ユーザにとって「名古屋」は“懐かしの土地”とする。本実施形態では、ユーザ（運転者）にとって“懐かしの土地（場所）”を走行する際には、当時聴いていた“懐かしの曲”を情報センター４から提供する懐メロ提供サービスを行うことにした。ここでの“懐かしの曲”とは、ユーザ（運転者）にとって懐かしい曲である。また、運転者にとって“懐かしの土地”以外の土地（上記の例では「神戸」、「大阪」、「京都」、「滋賀」、「三重」）では、上記懐メロ提供サービスは行われない。その場合、例えばＡＶＮ機１はディスク再生部１０４でＣＤ、ＭＤなどのディスクに記録されている音楽データを読み込み、再生することで、運転者は自分のお気に入りの音楽を楽しむことが可能である。
【００８９】
本実施形態において、情報センター４のハード構成は、第１実施形態に係る構成と同様である。また、図１５は、第３実施形態におけるＡＶＮ機１のハードウェア構成例を示す
図である。本実施形態に係るＡＶＮ機１においては、記憶部１１７における記憶領域に、走行履歴ＤＢ１１７ａのほか、ＡＶＮ機１による楽曲データの再生履歴情報が記憶されるデータベース（以下、「楽曲再生履歴ＤＢ」という）１１７ｂ、及び、パラメータ記憶領域（以下、「パラメータ記憶領域」という）１１７ｃが形成されている。本実施形態では、楽曲再生履歴ＤＢ１１７ｂが再生履歴記憶部に対応する。
【００９０】
図１６は、第３実施形態における楽曲再生履歴ＤＢのデータ構造を示す図である。楽曲再生履歴ＤＢ１１７ｂは、楽曲名、及び再生日時などをフィールド名とするデータベースである。また、アーチスト名、アルバム名、トラックＮｏ、その他の項目をフィールド名に追加しても良い。
【００９１】
図１７は、第３実施形態に係るＡＶＮ機１の制御部１００に係る機能構成例を示す図である。ＡＶＮ機１は、制御部１００に相当するマイコン（ＣＰＵ）が、ＲＯＭ等の周辺回路に記憶された種々のプログラムを実行することによって、位置情報取得部１００１、コンテンツ受信部１００５、コンテンツ再生部１００６、再生履歴記憶処理部１０１２、検索部１００８、配信要求指令部１００９、指示受付部１０１０、領域調整部１０１１として動作する。
【００９２】
再生履歴記憶処理部１０１２は、ＡＶＮ機１において楽曲データが再生される度に、その楽曲情報を楽曲再生履歴情報（コンテンツの再生履歴情報に対応）として、楽曲再生履歴ＤＢ１１７ｂに記憶させる処理を行う。具体的には、ＡＶＮ機１の制御部１００は、ディスク再生部１０４やＨＤ再生部１０５などによって楽曲データが再生されると、その楽曲情報を楽曲再生履歴情報として、楽曲再生履歴ＤＢ１１７ｂに順次記憶させる処理を行う。
【００９３】
検索部１００８は、車両２における現在の自車位置情報、走行履歴ＤＢ１１７ａに記憶されている走行履歴情報、及び楽曲再生履歴ＤＢ１１７ｂに記憶されている楽曲再生履歴情報に基づいて、車両２（ＡＶＮ機１）の現在位置の周囲に存在する第２領域でＡＶＮ機１が過去に再生した楽曲データを検索する。この楽曲データの検索処理を、以下「懐かし楽曲検索処理」と称する。配信要求指令部１００９は、検索部１００８が検索して取得したコンテンツの配信要求指令を情報センター４に送信する。指示受付部１０１０及び領域調整部１０１１の機能については後述する。
【００９４】
図１８は、第３実施形態における情報センター４及びＡＶＮ機１の動作を示す第３のシーケンス図である。第３のシーケンスは、所定周期毎に繰り返し実行される。なお、既に説明したシーケンス図、フローチャート図と同じ処理がなされる場合、同じステップ番号を付すことで、その詳しい説明は省略する。第３のシーケンスが開始されると、まず、ＡＶＮ機１の制御部１００は、自車位置情報を取得する（ステップＳ２０１）。本シーケンスにおいては、ステップＳ２０１の処理によって位置情報取得部１００１が実現される。
【００９５】
ＡＶＮ機１の制御部１００は、ＡＶＮ機１のディスク再生部１０４やＨＤ再生部１０５等によって楽曲データが再生されると、その楽曲情報を楽曲再生履歴情報として楽曲再生履歴ＤＢ１１７ｂに格納する。制御部１００は、自車位置情報と、走行履歴ＤＢ１１７ａに記憶されている車両２の走行履歴情報、楽曲再生履歴ＤＢ１１７ｂに記憶されている楽曲再生履歴情報に基づいて、懐かし楽曲検索処理を実施する。
【００９６】
図１９は、第３実施形態における懐かし楽曲検索処理を説明するための説明図である。図示の符号ＣＰは現在の自車位置を示す。また、破線で囲まれている領域は第２領域をイメージ化したものである。この図では、第２領域が、自車位置ＣＰから半径５０ｋｍ以内の領域に設定されている。符号Ａ〜Ｅは、車両２の走行地点と、その時に再生されていた
楽曲データ（特に、これを「過去再生楽曲データ」ともいう）とを対応付けたものである。過去再生楽曲データは、情報センター４から配信された楽曲データに限られず、例えばＣＤなどのディスクに記録されているデータをディスク再生部１０４により読み込むことで再生された楽曲データについても含まれる。
【００９７】
ＡＶＮ機１の制御部１００は、自車位置情報（自車位置ＣＰの経度、緯度）をパラメータとして、走行履歴ＤＢ１１７ａ及び楽曲再生履歴ＤＢ１１７ｂにアクセスすることで、図１９に示す過去再生楽曲データＡ〜Ｅを検索し、その情報を取得する。ここで、過去再生楽曲データＡ〜Ｅは、自車位置からの距離（以下、「検索範囲」という）ＤＣ、及び再生日時から現在までの経過期間ＴＰがまちまちであり、運転者にとって懐かしい曲とそうでない曲が混在している。
【００９８】
制御部１００は、運転者にとって懐かしい楽曲データのみを検索するために、パラメータ記憶領域１１７ｃに記憶されている検索条件パラメータの設定値に従って過去再生楽曲データを検索する。検索条件パラメータには、検索範囲ＤＣと経過期間ＴＰが設定されている。これら検索条件パラメータは、初期設定値が予め定められている。また、この初期設定値は、タッチパネル等の操作部１１４を介した使用者による変更操作を受け付けており、運転者が自由に変更可能である。
【００９９】
ステップＳ２０１の処理が終わると、制御部１００は懐かし楽曲検索処理を行う（ステップＳ５０１）。図２０は、第３実施形態における懐かし楽曲検索処理の処理フローを示すフローチャートである。この処理フローが開始されると、制御部１００は、パラメータ記憶領域１１７ｃにアクセスし、検索条件パラメータ（検索範囲ＤＣ、経過期間ＴＰ）の設定値を読み出し、取得する（ステップＳ５０１１）。そして、制御部１００は、自車位置情報（自車位置ＣＰの経度、緯度）、及び取得した検索条件パラメータの設定値に基づき、走行履歴ＤＢ１１７ａ及び楽曲再生履歴ＤＢ１１７ｂから、検索条件パラメータの設定値の条件をクリアした過去再生楽曲データに関する情報を取得する（ステップＳ５０１２）。具体的には、検索範囲ＤＣが対応する設定値以内であって、かつ、経過期間ＴＰが対応する設定値ＴＰを超えている条件をクリアした過去再生楽曲データのみを検索する。
【０１００】
図１９に戻り、具体例を挙げて説明する。本実施形態では、検索条件パラメータのうち、検索範囲ＤＣが５０ｋｍ、経過期間ＴＰが２年に設定されている。この場合、ステップＳ５０１２においては、過去再生楽曲データＡ〜Ｃが懐かし楽曲データとして検出される。過去再生楽曲データＤは、検索範囲ＤＣの条件を満足するが経過期間ＴＰの条件を満たさない。また、過去再生楽曲データＥは、経過期間ＴＰの条件を満足するが検索範囲ＤＣの条件を満たさない。本ステップの処理が終了すると、本処理フローを一旦抜ける。上述した懐かし楽曲検索処理（Ｓ５０１１、Ｓ５０１２）の実行によって、検索部１００８が実現される。
【０１０１】
図１８に戻ると、ＡＶＮ機１の制御部１００は、懐かし楽曲検索処理で検索した懐かし楽曲データと同じ楽曲について、情報センター４に配信要求指令を送信する（ステップＳ５０２）。本シーケンスにおいてはステップＳ５０２の処理によって配信要求指令部１００９が実現される。
【０１０２】
次に、情報センター４の制御装置４２（プロセッサ４２ａ）は、無線通信部４１を通じて配信要求指令を受信する。そして、配信要求指令に関する楽曲データの情報（例えば、曲名）を記憶装置に記憶する（ステップＳ５０３）。次に、制御装置４２（プロセッサ４２ａ）は、コンテンツＤＢ４３にアクセスし、ステップＳ５０３において記憶した楽曲データを読み出し、ＡＶＮ機１に配信（送信）する（ステップＳ５０４）。
【０１０３】
ＡＶＮ機１の制御部１００は、懐かし楽曲検索処理において検索した懐かし楽曲データを情報センター４から受信し（ステップＳ５０５）、再生する（ステップＳ５０６）。本シーケンスにおいては、ステップＳ５０５、Ｓ５０６の処理によってコンテンツ受信部１００５、コンテンツ再生部１００６が実現される。
【０１０４】
懐かし楽曲データの再生が開始されると、制御部１００は所定期間に亘り、運転者による懐かし楽曲データの再生中止指示を受け付ける（ステップＳ５０７）。この所定期間は、予め定めてある一定時間としても良いし、楽曲の長さに応じて変更される可変時間であっても良い。なお、再生中止指示は、表示部１２２に表示される各種操作ボタン（アイコンなど）やＡＶＮ機１の操作部１１４を介して受け付けられる。本シーケンスにおいては、ステップＳ５０７の処理によって指示受付部１０１０が実現される。
【０１０５】
次いで、ＡＶＮ機１の制御部１００は、運転者による再生中止指示の受付結果に基づいて、検索範囲ＤＣ（第２領域）の大きさを調節する（ステップＳ５０８）。例えば、上記懐かし楽曲データに係る楽曲を聴いた使用者がそれを懐かしくないと感じた場合には、使用者は再生中止指示を操作部１１４を介して出力する。使用者からの再生中止指示を受け付ける期間（以下、「中止指示受付期間」という）に使用者からの再生中止指示を受け付けた場合、制御部１００は検索範囲ＤＣを狭く変更する。一方、中止指示受付期間において、使用者からの再生中止指示を受け付けなかった場合、制御部１００は、検索範囲ＤＣを変更しない（例えば、初期設定値に維持する）。本シーケンスにおいては、ステップＳ５０８の処理によって領域調整部１０１１が実現される。
【０１０６】
以上のように、上記制御によれば、走行履歴との運転者の嗜好を含めた概念である運転者特性に応じてコンテンツの提供サービスを行うことができる。また、運転者に提供する楽曲配信サービスへの運転者の反応（再生中止指示）に応じて、懐かし楽曲検索処理に関する懐かし楽曲データの検索範囲を変更するようにしたので、以降の楽曲配信サービスが運転者のニーズにより合致したものとなる。よって、ユーザのサービス満足度をより一層高めることができる。
【０１０７】
〔変形例〕
本実施形態における変形例を説明する。例えば、中止指示受付期間に再生中止指示を受け付けなかった場合、懐かし楽曲検索処理に係る検索範囲ＤＣを広げても良い。また、中止指示受付期間において再生中止指示を受け付けた場合、再生した曲が気に入らないのか、又は、現在位置が運転者にとって懐かしい土地ではないのかを問うための質問を表示部１２２に表示させても良い。そして、この質問に対する運転者の回答を、操作部１１４等を介して受け付けても良い。そして、例えば、現在位置が懐かしの土地ではないという回答を受け付けた場合にのみ、懐かし楽曲検索処理に係る検索範囲ＤＣを狭めるようにしても良い。
【０１０８】
また、本実施形態では、中止指示受付期間に再生中止指示を受け付けた場合に検索範囲ＤＣに併せて経過期間ＴＰの設定値を変更しても構わない。また、図１５に示す構成では、走行履歴ＤＢ１１７ａ及び楽曲再生履歴ＤＢ１１７ｂを個別に設けているが、再生楽曲履歴情報と走行履歴情報とを互いに対応付けて、一つのデータベースを構築するようにしても良い。なお、本実施形態では、情報センター４からＡＶＮ機１に配信されるコンテンツとして例示的に楽曲データを採用しているが、他のコンテンツを提供しても良い。以上述べた変形例は、下記の第４実施形態に関しても同様に適用することができる。
【０１０９】
＜第４実施形態＞
次に、第４実施形態に係るコンテンツ提供システム１０について説明する。第３実施形態では、懐かし楽曲検索処理をＡＶＮ機１側で主体的に行う場合を例に説明したが、本実
施形態では、同処理を情報センター４側で主体的に行う態様について説明する。
【０１１０】
図２１は、第４実施形態におけるコンテンツ提供システム１０の全体構成を示すシステム構成図である。第１実施形態と同様の構成については、同じ符号を付すことで詳しい説明を省略する。本実施形態に係る情報センター４において、４４は走行履歴ＤＢ、４５は楽曲再生履歴ＤＢ、４６はパラメータ記憶領域である。走行履歴ＤＢ４４、楽曲再生履歴ＤＢ４５、パラメータ記憶領域４６は、それぞれ第３実施形態における走行履歴ＤＢ１１７ａ、楽曲再生履歴ＤＢ１１７ｂ、パラメータ記憶領域１１７ｃと共通のデータ構造を有している。また、ＡＶＮ機１側には、走行履歴ＤＢ１１７ａ、楽曲再生履歴ＤＢ１１７ｂ、パラメータ記憶領域１１７ｃは備えられていない。
【０１１１】
図２２は、第３実施形態におけるＡＶＮ機１の制御部１００に係る機能構成例を示す図である。ＡＶＮ機１は、制御部１００に相当するマイコン（ＣＰＵ）が、ＲＯＭ等の周辺回路に記憶された種々のプログラムを実行することによって、位置情報取得部１００１、コンテンツ受信部１００５、コンテンツ再生部１００６、位置情報送信部１００７として動作する。図２３は、第４実施形態における情報センター４の制御装置４２（プロセッサ４２ａ）の機能構成例を示す図である。プロセッサ４２ａは、各種プログラムを主記憶装置４２ｂにロードして実行することによって、位置情報受信部４２１、コンテンツ配信部４２４、再生履歴記憶処理部４２５、検索部４２６、指示受付結果受信部４２７、領域調整部４２８として動作する。
【０１１２】
ＡＶＮ機１においては、ディスク再生部１０４やＨＤ再生部１０５などによって楽曲データが再生されると、制御部１００は再生された楽曲データに関する情報（再生楽曲情報）を情報センター４に送信する。情報センター４は、無線通信部４１から再生楽曲情報を受信すると、再生履歴記憶処理部４２５が再生楽曲情報を楽曲再生履歴情報として楽曲再生履歴ＤＢ１１７ｂに記憶する。検索部４２６は、自車位置情報と、走行履歴ＤＢ４４に記憶されている走行履歴情報、楽曲再生履歴ＤＢ４５に記憶されている楽曲再生履歴情報に基づいて、第３実施形態において説明した過去再生楽曲データを検索する。
【０１１３】
指示受付結果受信部４２７は、検索部４２６により検索されてコンテンツ配信部４２４から配信された楽曲データのＡＶＮ機１における再生時に、使用者からの再生中止指示に関する受け付け結果をＡＶＮ機１から受信する。また、領域調節部４２８は、指示受付結果受信部４２７が受信した受付結果に基づき検索範囲ＤＣ（第２領域）の大きさを調節する。
【０１１４】
図２４は、第４実施形態における情報センター４及びＡＶＮ機１の動作を示す第４のシーケンス図である。第４のシーケンスは、所定周期毎に繰り返し実行される。なお、上述までのシーケンス図、フローチャートと同じ処理がなされる場合には、同じステップ番号を付すことで、その詳しい説明は省略する。第４のシーケンスが開始されると、まず、ＡＶＮ機１の制御部１００は、自車位置情報を取得する（ステップＳ２０１）。次に、制御部１００は、自車位置情報を、通信ユニット１２１を通じて情報センター４に送信する（ステップＳ４０１）。本シーケンスにおいては、ステップＳ２０１の処理によって位置情報取得部１００１が実現される。本シーケンスにおいては、ステップＳ２０１の処理によって位置情報取得部１００１が実現され、ステップＳ４０１の処理によって位置情報送信部１００７が実現される。
【０１１５】
次に、制御装置４２におけるプロセッサ４２ａは、無線通信部４１を通じて自車位置情報を受信し、受信した自車位置情報を走行履歴情報として走行履歴ＤＢ４４に記憶させる（ステップＳ４０２）。このステップＳ４０２の処理によって位置情報受信部４２１が実現される。次いで、プロセッサ４２ａは、懐かし楽曲検索処理を実施する（ステップＳ６
０１）。本実施形態では、情報センター４側で懐かし楽曲検索処理を実施する点で第３実施形態と相違するが、懐かし楽曲検索処理自体の目的や内容は先に述べた通りである。
【０１１６】
図２５は、第４実施形態における懐かし楽曲検索処理の処理フローを示すフローチャートである。この処理フローは、第４のシーケンスのステップＳ６０１において実行されるサブルーチンである。ステップＳ６０１１において、プロセッサ４２ａは、パラメータ記憶領域４６にアクセスし、検索範囲ＤＣ及び経過期間ＴＰを読み出し、取得する。次に、ステップＳ６０１２において、プロセッサ４２ａは、自車位置情報（自車位置ＣＰの経度、緯度）、取得した検索範囲ＤＣ及び経過期間ＴＰをパラメータとして、走行履歴ＤＢ４４及び楽曲再生履歴ＤＢ４５にアクセスすることで、検索範囲ＤＣが基準値以内であって、かつ、経過期間ＴＰが基準期間を超えている条件をクリアした過去再生楽曲データを検索し、その情報を取得する。本処理フローにおいては、ステップＳ６０１１、Ｓ６０１２の処理によって、検索部４２６が実現される。
【０１１７】
次に、制御装置４２におけるプロセッサ４２ａは、上記懐かし楽曲検索処理の実施により取得した過去再生楽曲データをコンテンツＤＢ４３から取得し、その楽曲データをＡＶＮ機１に配信（送信）する（ステップＳ６０２）。本シーケンスにおいてはステップＳ６０２の処理によってコンテンツ配信部４２４が実現される。
【０１１８】
次に、ＡＶＮ機１の制御部１００は、情報センター４から、懐かし楽曲検索処理において検索した過去再生楽曲データと同じ楽曲データ受信し（ステップＳ５０５）、その楽曲データ（以下、「懐かし楽曲データ」ともいう）を再生する（ステップＳ５０６）。本シーケンスにおいては、ステップＳ５０５、Ｓ５０６の処理によってコンテンツ受信部１００５、コンテンツ再生部１００６が実現される。ここで、懐かし楽曲データの再生が開始されると、制御部１００は所定期間に亘り、使用者による懐かし楽曲データの再生中止指示を受け付ける（ステップＳ５０７）。本ステップについては既述のため、詳しい説明を省略する。
【０１１９】
制御部１００は、中止指示受付期間における運転者からの再生中止指示の受付結果を情報センター４に送信する（ステップＳ６０３）。そして、制御装置４２におけるプロセッサ４２ａは、再生中止指示の受付結果を受信する（ステップＳ６０４）。そして、プロセッサ４２ａは、再生中止指示の受付結果を受信するとその受付結果に基づいて検索範囲ＤＣ（第２領域）の大きさを調節する（ステップＳ６０５）。本シーケンスにおいてはステップＳ６０４、Ｓ６０５の処理によって指示受付結果受信部４２７、領域調整部４２８が実現される。検索範囲ＤＣの変更に関する詳細については第３のシーケンスにおいて既に説明しているため、ここでの説明を省略する。
【０１２０】
本実施形態のコンテンツ提供システムにおいては、懐メロ提供サービス、特に懐かし楽曲検索処理を実行する主たる機能部を情報センター４側に集約させた場合においても、第３実施形態に係るシステムと同様な作用効果を奏する。
【０１２１】
以上、本発明の好適な実施形態を説明したが、本発明はこれらに限らず、可能な限りこれらの組合せを含むことができる。
【符号の説明】
【０１２２】
１・・・車載機（ＡＶＮ機）
２・・・車両
３・・・ネットワーク
４・・・情報センター
４２・・・制御装置
１００・・・制御部
【図１】
2012123490.tif 000003
【図２】
2012123490.tif 000004
【図３】
2012123490.tif 000005
【図４】
2012123490.tif 000006
【図５】
2012123490.tif 000007
【図６】
2012123490.tif 000008
【図７】
2012123490.tif 000009
【図８】
2012123490.tif 000010
【図９】
2012123490.tif 000011
【図１０】
2012123490.tif 000012
【図１１】
2012123490.tif 000013
【図１２】
2012123490.tif 000014
【図１３】
2012123490.tif 000015
【図１４】
2012123490.tif 000016
【図１５】
2012123490.tif 000017
【図１６】
2012123490.tif 000018
【図１７】
2012123490.tif 000019
【図１８】
2012123490.tif 000020
【図１９】
2012123490.tif 000021
【図２０】
2012123490.tif 000022
【図２１】
2012123490.tif 000023
【図２２】
2012123490.tif 000024
【図２３】
2012123490.tif 000025
【図２４】
2012123490.tif 000026
【図２５】
2012123490.tif 000027